(57)【要約】      （修正有） 【課題】集塵機にダクトを介して連通された集塵フードの先端部分を、集塵を必要とする局所に対して高精度に位置させることができるようにする。【解決手段】ダクトの先端にこれと連通して固定配設され、水平方向へ延びる筒状の固定フード1と、固定フード1に水平方向へ往復移動可能にして装着されて固定フード1に対して入出しかつ先端面または先端部分の下面が開口する筒状の可動フード2と、可動フード2の下面中央部に可動フード2の移動方向へ延びた状態で装着されたローラチェーン3と、ローラチェーン3と直交して延びて固定フード1に回転自在にして架設された回転軸5と、固定フード1の外側面に装着されかつ出力軸が回転軸5に連結された減速機付き電動機6と、回転軸5に嵌着されかつローラチェーン3と噛み合う鎖車7と、を備えたことを特徴とする。【選択図】図１
2006305439.tif 000002
【特許請求の範囲】
【請求項１】
集塵機にダクトを介して連通されかつ先端部分が局所に対して進退してこの局所から集塵する伸縮式集塵フード装置であって、
前記ダクトの先端にこれと連通して固定配設され、水平方向へ延びる筒状の固定フードと、
この固定フードに水平方向へ往復移動可能にして装着されて固定フードに対して入出しかつ先端面または先端部分の下面が開口する筒状の可動フードと、
この可動フードの下面中央部に可動フードの移動方向へ延びた状態で装着されたローラチェーンと、
このローラチェーンと直交して延びて前記固定フードに回転自在にして架設された回転軸と、
前記固定フードの外側面に装着されかつ出力軸が前記回転軸に連結された減速機付き電動機と、
前記回転軸に嵌着されかつ前記ローラチェーンと噛み合う鎖車と、
を備えたことを特徴とする伸縮式集塵フード装置。
【請求項２】
請求項1に記載の伸縮式集塵フード装置において、
前記固定フードおよび前記可動フードは、四角筒状を成すことを特徴とする伸縮式集塵フード装置。
【発明の詳細な説明】
【技術分野】
【０００１】
本発明は、集塵機にダクトを介して連通されかつ先端部分が局所に対して進退してこの局所から集塵する伸縮式集塵フード装置に関する。
【背景技術】
【０００２】
従来、局所を集塵する集塵フードは、一般にダクトを介して集塵機に連通されて固定配設されている。そのため、例えば、局所としての取瓶などに対して集塵する場合には、この取瓶を集塵フードの近傍の所望位置にできるだけ正確に搬入することが望ましく、この結果、取瓶を搬送する作業者に余分な神経を使わせたりするなどの問題があった。
【発明の開示】
【発明が解決しようとする課題】
【０００３】
本発明は、上記の事情に鑑みてなされたもので、その目的は、集塵機にダクトを介して連通された集塵フードの先端部分を、集塵を必要とする局所に対して高精度に位置させることができる伸縮式集塵フード装置を提供することにある。
【課題を解決するための手段】
【０００４】
上記の目的を達成するために本発明の伸縮式集塵フード装置は、集塵機にダクトを介して連通されかつ先端部分が局所に対して進退してこの局所から集塵する伸縮式集塵フード装置であって、前記ダクトの先端にこれと連通して固定配設され、水平方向へ延びる筒状の固定フードと、この固定フードに水平方向へ往復移動可能にして装着されて固定フードに対して入出しかつ先端面または先端部分の下面が開口する筒状の可動フードと、この可動フードの下面中央部に可動フードの移動方向へ延びた状態で装着されたローラチェーンと、このローラチェーンと直交して延びて前記固定フードに回転自在にして架設された回転軸と、前記固定フードの外側面に装着されかつ出力軸が前記回転軸に連結された減速機付き電動機と、前記回転軸に嵌着されかつ前記ローラチェーンと噛み合う鎖車と、を備えたことを特徴とする。
【０００５】
このように構成されたものは、減速機付き電動機を適宜正転駆動あるいは逆転駆動して可動フードを伸長あるいは収縮させ、可動フードの先端部分を集塵を必要とする局所に対して前進あるいは後退させて所望状態に位置させることとなる。
【発明の効果】
【０００６】
以上の説明から明らかなように本発明は、集塵機にダクトを介して連通されかつ先端部分が局所に対して進退してこの局所から集塵する伸縮式集塵フード装置であって、前記ダクトの先端にこれと連通して固定配設され、水平方向へ延びる筒状の固定フードと、この固定フードに水平方向へ往復移動可能にして装着されて固定フードに対して入出しかつ先端面または先端部分の下面が開口する筒状の可動フードと、この可動フードの下面中央部に可動フードの移動方向へ延びた状態で装着されたローラチェーンと、このローラチェーンと直交して延びて前記固定フードに回転自在にして架設された回転軸と、前記固定フードの外側面に装着されかつ出力軸が前記回転軸に連結された減速機付き電動機と、前記回転軸に嵌着されかつ前記ローラチェーンと噛み合う鎖車と、を備えたから、減速機付き電動機を適宜正転駆動あるいは逆転駆動して可動フードを伸長あるいは収縮させることにより、可動フードの先端部分を集塵を必要とする局所に確実にして高精度に位置させることができるなどの優れた実用的効果を奏する。
【発明を実施するための最良の形態】
【０００７】
以下、本発明を適用した伸縮式集塵フード装置の最良の形態について図１〜図６に基づき詳細に説明する。本伸縮式集塵フード装置は、特に図１〜図４に示すように、集塵機（図示せず）に連通接続したダクト（図示せず）の先端に装着されて固定配設され、左右方向へ延びる四角筒状を成す固定フード1と、この固定フード1に左右方向へ移動可能して装着されて固定フード1に対して入出する四角筒状の可動フード２と、この可動フード２の下面中央部にこれの移動方向である左右方向へ延びた状態で装着されたローラチェーン３と、このローラチェーン３と直交して延びて前記固定フード１の前後両側壁間に軸受4・4を介し回転自在にして架設された回転軸５と、前記固定フード１の右寄り位置前面に装着されかつ出力軸が前記回転軸5に連結された減速機付き電動機６と、前記回転軸５に嵌着されかつ前記ローラチェーン３と噛み合う鎖車7と、で構成してある。
【０００８】
そして、前記固定フード１は、特に図１および図２に示すように、左端面を閉鎖しかつ左端部分の下面をダクトに連通可能なように開口した主要部分1ａと、これの右端にこれと連通して接続された補助部分1ｂとで構成してあり、この補助部分1ｂの前面には前記減速機付き電動機6が装着してある。
なお、前記可動フード２を四角筒等の筒状にすることにより、前記固定フード１の左端部分の開口に対して、これの開口度を調整するダンパとしての機能を持たせることができる。
【０００９】
また、前記可動フード２は、特に図３および図５に示すように、前記固定フード1の底壁上に上向きにして装着された複数の固定型キャスタ8・8の上に載せて図５において左右方向へ移動自在に構成してあり、さらに特に図４に示すように、前後両外面および天井壁上にそれぞれ装着した前後方向へ延びる４本のレール9・9、10・10を、前記固定フード1の左右内面および天井壁下面にそれぞれ装着された複数対および複数個のカムフォロア11・11、12・12にそれぞれ係合させて、前後方向へ誘導されるようになっている。
【００１０】
また、前記固定フード1の天井壁上には前記４本のレール9・9、10・10に対して粉塵を吹き落とす圧縮空気をそれぞれ噴射する圧縮空気噴射機構1３が装着してある。
【００１１】
このように構成したものは、減速機付き電動機6を適宜正転駆動あるいは逆転駆動して回転軸５を介し鎖車7を正転あるいは逆転させ、ローラチェーン３を鎖車7に対して進退動させ、これにより、図６に示すように、可動フード２を伸長あるいは収縮させて可動フード２の先端部分を集塵を必要とする局所に対して前進あるいは後退させて所望状態に位置させることとなる。
【００１２】
なお、上述の最良の形態では、可動フード２は右端面を開口した構造にして先端面から吸引するようにしてあるが、これに限定するものではなく、右端部分の下面を開口してその下面開口から吸引するようにしてもよい。
またなお、上述の最良の形態では、前記固定フード1および前記可動フード2は、四角筒状を成しているが、これに限定するものではなく、断面が多角形あるいは円形を成す筒状にしても同様の作用効果が得られるのはもちろんである。
【図面の簡単な説明】
【００１３】
【図１】本発明を適用した伸縮式集塵フード装置の最良の形態の正面図である。
【図２】図1の平面図である。
【図３】図1の左側面図である。
【図４】図1のＡ-Ａ断面図である。
【図５】図２のＢ-Ｂ断面図である。
【図６】作動説明図である。
【符号の説明】
【００１４】
1          
固定フード
2          
可動フード
3          
ローラチェーン
5    回転軸
6    減速機付き電動機
７    鎖車
【図１】
2006305439.tif 000003
【図２】
2006305439.tif 000004
【図３】
2006305439.tif 000005
【図４】
2006305439.tif 000006
【図５】
2006305439.tif 000007
【図６】
2006305439.tif 000008